(57)【特許請求の範囲】
【請求項１】
第１トレイから延出されており、一定の向きへ湾曲した第１湾曲路を有する第１搬送路、及び第２トレイから延出され、上記第１湾曲路とは逆向きへ湾曲した第２湾曲路を有しており、上記第１搬送路に接続された第２搬送路が設けられた筐体と、
上記第１搬送路において上記第２搬送路との接続位置に対して上記第１トレイとは反対側に配置されており、シートを搬送する搬送ローラと、
上記接続位置に設けられており、上記第１湾曲路の湾曲外側及び上記第２湾曲路の湾曲内側を構成する第１ガイド部材と、
上記第１搬送路における上記第１ガイド部材より上記第１トレイ側において、上記第１湾曲路の湾曲外側を構成する第２ガイド部材と、
上記第１湾曲路の湾曲内側を構成する第３ガイド部材と、
上記第１ガイド部材に設けられており、上記接続位置付近に突出するガイドローラと、
上記第２ガイド部材に回動可能に設けられており、既定状態において上記第１搬送路の少なくとも一部を上記接続位置に対して塞ぎ、且つ、上記第２搬送路が上記接続位置に対して開放された第１位置に保持され、上記第１搬送路を搬送されるシートと当接することによって、上記第１搬送路を上記接続位置に対して開放し、且つ、上記第２搬送路の少なくとも一部を上記接続位置に対して塞ぐ第２位置に移動するフラップと、を具備しており、
上記第２位置のフラップにおいて上記第１湾曲路を構成するガイド面は、上記ガイドローラより上記第３ガイド部材に近い位置である搬送装置。
【請求項２】
上記第２位置のフラップの回動先端は、上記接続位置より上記搬送ローラ側において上記第１ガイド部材に当接する請求項１に記載の搬送装置。
【請求項３】
上記フラップには開口部が設けられており、
上記ガイドローラは、上記第２位置のフラップの開口部により区画される空間に進入する請求項１又は２に記載の搬送装置。
【請求項４】
上記第１搬送路は、上記接続位置から上記搬送ローラへ向かって直線的に延びる直線路を更に有しており、
上記筐体は、上記接続位置から上記直線路と反対向きへ直線的に延びており、搬送媒体を屈曲させずに通過させる第３搬送路を更に有しており、
上記フラップは、上記第１位置において上記第３搬送路を塞がず、上記第２位置において上記第３搬送路の少なくとも一部を上記接続位置に対して塞ぐ請求項１から３のいずれかに記載の搬送装置。
【請求項５】
上記ガイドローラは、上記第３搬送路を通過する搬送媒体と接触しない位置に配置されている請求項４に記載の搬送装置。
【請求項６】
上記第１搬送路において上記搬送ローラに対して上記第１トレイとは反対側に配置されており、上記第１搬送路を搬送されるシートまたは被記録媒体に画像を記録する記録部を更に具備する請求項４又は５に記載の搬送装置。
【請求項７】
上記搬送媒体は、上記被記録媒体を支持可能な媒体トレイである請求項６に記載の搬送装置。
【請求項８】
上記媒体トレイは、上記第１搬送路における上記直線路から挿入されて上記第３搬送路に到達するものである請求項７に記載の搬送装置。
【請求項９】
上記フラップを上記第１位置側へ付勢する付勢部材を更に具備する請求項１から８のいずれかに記載の搬送装置。
【請求項１０】
上記第１位置のフラップの回動先端は、上記第３ガイド部材に当接した状態で保持されている請求項１から９の何れかに記載の搬送装置。
【発明の詳細な説明】
【技術分野】
【０００１】
本発明は、第１搬送路及び第２搬送路を有する搬送装置に関する。
【背景技術】
【０００２】
プリンタなどの搬送装置において、複数のトレイからそれぞれ延出された搬送路を通じて、シートなどの被記録媒体が搬送ローラ対へ搬送されて記録部により記録される構成が採用されている。例えば、一方のトレイからＵターン形状に湾曲する搬送路が延出されており、他方のトレイから直線状或いはＵターン形状とは逆向きに湾曲する搬送路が延出されている。これら搬送路は、搬送ローラ対より搬送向き上流側において接続されている。各トレイから被記録媒体が円滑に搬送ローラ対へ搬送されるために、接続位置と搬送ローラ対との間にコロが設けられている（特許文献１）。
【先行技術文献】
【特許文献】
【０００３】
【特許文献１】特開２００８−７４０６３号公報
【発明の概要】
【発明が解決しようとする課題】
【０００４】
しかしながら、仮に、反った状態で被記録媒体が搬送されてきた場合に、その被記録媒体の先端がコロと当接して、却って被記録媒体の円滑な搬送の妨げとなるおそれがある。
【０００５】
本発明は、前述された事情に鑑みてなされたものであり、その目的は、少なくとも２つの搬送路が接続される搬送装置において、いずれの搬送路においても、シートなどの被搬送体が円滑に搬送される手段を提供することにある。
【課題を解決するための手段】
【０００６】
(1)  本発明に係る搬送装置は、第１トレイから延出されており、一定の向きへ湾曲した第１湾曲路を有する第１搬送路、及び第２トレイから延出され、上記第１湾曲路とは逆向きへ湾曲した第２湾曲路を有しており、上記第１搬送路に接続された第２搬送路が設けられた筐体と、上記第１搬送路において上記第２搬送路との接続位置に対して上記第１トレイとは反対側に配置されており、シートを搬送する搬送ローラと、上記接続位置に設けられており、上記第１湾曲路の湾曲外側及び上記第２湾曲路の湾曲内側を構成する第１ガイド部材と、上記第１搬送路における上記第１ガイド部材より上記第１トレイ側において、上記第１湾曲路の湾曲外側を構成する第２ガイド部材と、上記第１湾曲路の湾曲内側を構成する第３ガイド部材と、上記第１ガイド部材に設けられており、上記接続位置付近に突出するガイドローラと、上記第２ガイド部材に回動可能に設けられており、既定状態において上記第１搬送路の少なくとも一部を上記接続位置に対して塞ぎ、且つ、上記第２搬送路が上記接続位置に対して開放された第１位置に保持され、上記第１搬送路を搬送されるシートと当接することによって、上記第１搬送路を上記接続位置に対して開放し、且つ、上記第２搬送路の少なくとも一部を上記接続位置に対して塞ぐ第２位置に移動するフラップと、を具備する。上記第２位置のフラップにおいて上記第１湾曲路を構成するガイド面は、上記ガイドローラより上記第３ガイド部材に近い位置である。
【０００７】
第１位置のフラップにより、接続位置において、第１搬送路が塞がれ、且つ第２搬送路が開放される。これにより、第２トレイから第２搬送路を通じて搬送ローラへシートが搬送され得る。接続位置において、シートが第２湾曲路の湾曲内側に位置するガイドローラに接触することにより、シートが円滑に搬送される。
【０００８】
第２位置のフラップにより、接続位置において、第１搬送路が開放され、且つ第２搬送路が塞がれる。これにより、第１トレイから第１搬送路を通じて搬送ローラへシートが搬送され得る。接続位置において、第２位置のフラップのガイド面により、第１湾曲路の湾曲外側に位置するガイドローラより第３ガイド部材に近い位置においてシートが案内されるので、第１搬送路を案内されるシートがガイドローラと接触することが防止される。
【０００９】
(2)  好ましくは、上記第２位置のフラップの回動先端は、上記接続位置より上記搬送ローラ側において上記第１ガイド部材に当接する。
【００１０】
これにより、接続位置において、第２搬送路が確実に塞がれる。
【００１１】
(3)  好ましくは、上記フラップには開口部が設けられており、上記ガイドローラは、上記第２位置のフラップの開口部により区画される空間に進入する。
【００１２】
これにより、フラップとガイドローラとの干渉を抑制しつつレイアウトの自由度が高められる。
【００１３】
(4)  好ましくは、上記第１搬送路は、上記接続位置から上記搬送ローラへ向かって直線的に延びる直線路を更に有しており、上記筐体は、上記接続位置から上記直線路と反対向きへ直線的に延びており、搬送媒体を屈曲させずに通過させる第３搬送路を更に有しており、上記フラップは、上記第１位置において上記第３搬送路を塞がず、上記第２位置において上記第３搬送路の少なくとも一部を上記接続位置に対して塞ぐ。
【００１４】
これにより、第１搬送路及び第３搬送路によって搬送媒体が直線的に進行する。
【００１５】
(5)  好ましくは、上記ガイドローラは、上記第３搬送路を通過する搬送媒体と接触しない位置に配置されている。
【００１６】
これにより、ガイドローラが、第３搬送路を通過する搬送媒体と干渉しない。
【００１７】
(6)  好ましくは、本搬送装置は、上記第１搬送路において上記搬送ローラに対して上記第１トレイとは反対側に配置されており、上記第１搬送路を搬送される被記録媒体に画像を記録する記録部を更に具備する。
【００１８】
これにより、各搬送路を搬送される被記録媒体に画像記録が行える。
【００１９】
(7)  好ましくは、上記搬送媒体は、上記被記録媒体を支持可能な媒体トレイである。
【００２０】
(8)  好ましくは、上記媒体トレイは、上記第１搬送路における上記直線路から挿入されて上記第３搬送路に到達するものである。
【００２１】
(9)  好ましくは、本搬送装置は、上記フラップを上記第１位置側へ付勢する付勢部材を更に具備する。
【００２２】
これにより、シートが搬送されていない状態において、フラップを第１位置に安定して保持することができる。
【００２３】
(10)  好ましくは、上記第１位置のフラップの回動先端は、上記第３ガイド部材に当接した状態で保持されている。
【００２４】
これにより、第１位置のフラップは、第１搬送路を接続位置に対して完全に塞ぐことができる。
【発明の効果】
【００２５】
本発明によれば、少なくとも２つの搬送路が接続される搬送装置において、いずれの搬送路においても、シートが円滑に搬送される。
【図面の簡単な説明】
【００２６】
【図１】図１は、複合機１０の外観斜視図である。
【図２】図２は、プリンタ部１１の内部構造を模式的に示す縦断面図である。
【図３】図３は、プリンタ部１１における外側ガイド部材１８周辺を示す斜視図である。
【図４】図４は、プリンタ部１１におけるプラテン４２周辺を示す平面図である。
【図５】図５は、図４のＡ−Ａ断面図であり、フラップ３４が第１位置の状態を示す。
【図６】図６は、図４のＡ−Ａ断面図であり、フラップ３４が第２位置の状態を示す。
【図７】図７は、フラップ３４の外観斜視図である。
【図８】図８は、媒体トレイ７１が挿入された状態のプリンタ部１１の内部構造を模式的に示す縦断面図である。
【図９】図９は、プリンタ部１１における開口部３８を有するフラップ３４周辺を模式的に示す縦断面図である。
【図１０】図１０は、コイルばね８２を有するプリンタ部１１におけるフラップ３４周辺を模式的に示す縦断面図である。
【発明を実施するための形態】
【００２７】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２８】
［複合機１０の全体構成］
図１に示されるように、複合機１０は、概ね直方体に形成されている。複合機１０の上部には、スキャナ部１２が設けられている。スキャナ部１２は、フラットベッドスキャナである。なお、フラットベッドスキャナの構造は公知であるので、ここでは詳細な説明が省略される。
【００２９】
複合機１０の下部には、インクジェット記録方式で記録用紙６（本発明のシートの一例）に画像を記録するプリンタ部１１（本発明の搬送装置の一例）が設けられている。なお、プリンタ部１１は、インクジェット記録方式以外、例えば電子写真方式で記録用紙６に画像を記録するものであってもよい。複合機１０は、ファクシミリ機能及びプリント機能などの各種の機能を有している。また、複合機１０は、シートよりも厚みのあるＣＤ−ＲＯＭやＤＶＤ−ＲＯＭなどの被記録媒体の盤面上に画像を記録する機能を有する。
【００３０】
本実施形態では、被記録媒体は、板形状であり被記録媒体を支持可能な媒体トレイ７１（図８参照）に支持された状態で、後述する直線路６５Ｂ及びレーベル経路６７を搬送される。この場合、媒体トレイ７１が、本発明の搬送媒体の一例である。なお、プリンタ部１１は、被記録媒体自体が直線路６５Ｂ及びレーベル経路６７を搬送されるように構成されていてもよい。この場合、被記録媒体が、本発明の被記録媒体の一例であるとともに本発明の搬送媒体の一例でもある。
【００３１】
プリンタ部１１は、前面に開口１３が形成された筐体１４を有している。筐体１４は、プリンタ部１１の各構成要素を、その内部空間に収容する外装カバーである。開口１３には、各種サイズの記録用紙６を支持可能な給送トレイ２０（本発明の第１トレイの一例）及び排出トレイ２１が、前後方向８に挿入及び脱抜可能に設けられている。
【００３２】
図２に示されるように、プリンタ部１１は、給送トレイ２０から記録用紙６を給送する給送部１５、記録用紙６に画像を記録する記録部２４、記録用紙６及び媒体トレイ７１を搬送する第１搬送ローラ対５４及び第２搬送ローラ対５５、搬送経路６５、レーベル経路６７、並びにバイパス経路６６などを備えている。つまり、筐体１４の内部には、給送部１５、記録部２４、第１搬送ローラ対５４、及び第２搬送ローラ対５５などが配置されており、搬送経路６５（本発明の第１搬送路の一例）、バイパス経路６６（本発明の第２搬送路の一例）、及びレーベル経路６７（本発明の第３搬送路の一例）などが形成されている。
【００３３】
［プリンタ部１１］
以下、プリンタ部１１の詳細な構造が説明される。
【００３４】
［給送トレイ２０］
図１及び図２に示される給送トレイ２０は、上方が開放された箱型の形状を有している。給送トレイ２０の上方には、排出トレイ２１が設けられている。給送トレイ２０は、大小様々なサイズの記録用紙６を支持面で支持することにより記録用紙６を重ねた状態で収容可能である。給送トレイ２０は、筐体１４の開口１３に通ずる内部空間に収容されている。給送トレイ２０は、開口１３を通じて筐体１４に対して前後方向８に沿って進退可能である。
【００３５】
［給送部１５］
図２に示されるように、給送部１５は、給送ローラ２５、給送アーム２６、及び駆動伝達機構２７を備えている。給送部１５は、給送トレイ２０の上方であって記録部２４の下方に設けられている。給送ローラ２５は、給送アーム２６の先端部に回転可能に軸支されている。給送アーム２６は、基端部に設けられた軸２８を中心として、矢印２９の方向に回動する。給送アーム２６の回動に伴って、給送ローラ２５は、給送トレイ２０の支持面に対して当接及び離間する。したがって、記録用紙６を収容した給送トレイ２０が筐体１４内に装着されたとき、給送ローラ２５は、給送トレイ２０に収容された記録用紙６に当接可能である。
【００３６】
給送ローラ２５には、モータ（不図示）の駆動力が駆動伝達機構２７を通じて伝達される。駆動伝達機構２７は、軸２８に伝達された回転を、複数のギヤが噛合されてなるギヤ列により給送ローラ２５の軸へ伝達する。給送ローラ２５が、給送トレイ２０の支持面上に支持された記録用紙６のうち一番上側の記録用紙６に当接された状態で回転することにより、当該記録用紙６が搬送経路６５へ給送される。
【００３７】
［搬送経路６５］
搬送経路６５は、給送トレイ２０から送られる記録用紙６が通過する経路である。図２に示されるように、筐体１４の内部空間に設けられた搬送経路６５は、湾曲路６５Ａ（本発明の第１湾曲路の一例）と、直線路６５Ｂとを備えている。
【００３８】
湾曲路６５Ａは、給送トレイ２０の後側から上方へ湾曲して延びている。換言すると、湾曲路６５Ａは、給送トレイ２０から延出されており、後側を湾曲外側とし且つ前側を湾曲内側とする向き（本発明の一定の向きの一例）へ湾曲している。湾曲路６５Ａは、給送トレイ２０の後側から搬送経路６５とバイパス経路６６との接続位置８０まで延びている。
【００３９】
湾曲路６５Ａは、記録用紙６が通過可能な空間を隔てて互いに対向する外側ガイド部材１８（本発明の第２ガイド部材の一例）及び第１上側ガイド部材３２（本発明の第１ガイド部材の一例）と、内側ガイド部材１９（本発明の第３ガイド部材の一例）及び下側ガイド部材３１（本発明の第３ガイド部材の一例）とによって構成されている。下側ガイド部材３１は、コロ３７を回転可能に支持している。コロ３７の周面の一部は、湾曲路６５Ａに対して突出している。これにより、湾曲路６５Ａを搬送される記録用紙６は、コロ３７の周面と当接することによって、円滑に搬送されることが可能である。なお、コロ３７は、下側ガイド部材３１ではなく、内側ガイド部材１９によって回転可能に支持されていてもよい。
【００４０】
直線路６５Ｂは、接続位置８０において湾曲路６５Ａと連続している。直線路６５Ｂは、接続位置８０から後述する第１搬送ローラ６０が配置されている前側へ向かって直線的に延びて排出トレイ２１に至っている。直線路６５Ｂは、ほぼ真っ直ぐに延びているために、媒体トレイ７１が屈曲することなく通過することができる。
【００４１】
直線路６５Ｂは、記録用紙６及び媒体トレイ７１が通過可能な空間を隔てて互いに対向する記録部２４及び第１上側ガイド部材３２と、プラテン４２（図４参照）及び下側ガイド部材３１とによって構成されている。
【００４２】
給送ローラ２５によって搬送経路６５に沿って給送された記録用紙６は、湾曲路６５Ａに沿って下方から上方へ向かいつつＵターンされ、直線路６５Ｂに沿って後方から前方へ向かって搬送される。つまり、記録用紙６は、図２に一点鎖線の矢印で示される搬送向き１７に沿って搬送される。
【００４３】
下側ガイド部材３１は、接続位置８０の下側に配置されている。下側ガイド部材３１は、湾曲路６５Ａのうちの内側ガイド部材１９よりも搬送向き１７下流側の湾曲内側と、直線路６５Ｂのうちのプラテン４２よりも搬送向き１７上流側の下側とを構成する。
【００４４】
第１上側ガイド部材３２は、接続位置８０の上側に配置されている。第１上側ガイド部材３２は、湾曲路６５Ａのうちの外側ガイド部材１８よりも搬送向き１７下流側の湾曲外側と、直線路６５Ｂのうちの記録部２４よりも搬送向き１７上流側の上側とを構成する。また、第１上側ガイド部材３２は、バイパス経路６６の湾曲内側を構成する。
【００４５】
外側ガイド部材１８は、湾曲路６５Ａのうちの第１上側ガイド部材３２よりも搬送向き１７上流側の湾曲外側を構成する。換言すると、外側ガイド部材１８は、湾曲路６５Ａにおける第１上側ガイド部材３２より給送トレイ２０側において、湾曲路６５Ａの湾曲外側を構成する。
【００４６】
内側ガイド部材１９は、湾曲路６５Ａのうちの下側ガイド部材３１よりも搬送向き１７上流側の湾曲内側を構成する。換言すると、内側ガイド部材１９は、湾曲路６５Ａにおける下側ガイド部材３１より給送トレイ２０側において、湾曲路６５Ａの湾曲内側を構成する。
【００４７】
［第１搬送ローラ対５４及び第２搬送ローラ対５５］
図２に示されるように、直線路６５Ｂにおける記録部２４よりも搬送向き１７の上流側には、第１搬送ローラ対５４が設けられている。第１搬送ローラ対５４は、接続位置８０よりも搬送向き１７の下流側に設けられている。換言すると、第１搬送ローラ対５４は、搬送経路６５において接続位置８０に対して給送トレイ２０とは反対側に配置されている。第１搬送ローラ対５４は、互いに当接する第１搬送ローラ６０（本発明の搬送ローラの一例）とピンチローラ６１とを有する。
【００４８】
直線路６５Ｂにおいて、記録部２４よりも搬送向き１７の下流側には、第２搬送ローラ対５５が設けられている。第２搬送ローラ対５５は、互いに当接する第２搬送ローラ６２と拍車ローラ６３とを有する。
【００４９】
第１搬送ローラ６０及び第２搬送ローラ６２は、モータ（不図示）の回転が伝達されて回転する。第１搬送ローラ６０が回転することによって、第１搬送ローラ対５４によって挟持されている記録用紙６が搬送される。第２搬送ローラ６２が回転することによって、第２搬送ローラ対５５によって挟持されている記録用紙６が搬送される。
【００５０】
［記録部２４］
図２に示されるように、直線路６５Ｂにおける第１搬送ローラ対５４と第２搬送ローラ対５５との間に記録部２４が設けられている。換言すると、記録部２４は、搬送経路６５において第１搬送ローラ６０に対して給送トレイ２０とは反対側に配置されている。
【００５１】
記録部２４は、キャリッジ４１と記録ヘッド３９とを備えている。キャリッジ４１は、プラテン４２の上方に設けられたガイドレール４３，４４（図３，４参照）によって左右方向９に往復動可能に支持されている。ガイドレール４４には、公知のベルト機構が設けられている。キャリッジ４１は、ベルト機構の無端ベルトと連結されており、無端ベルトの回動によってガイドレール４３，４４に沿って左右方向９に往復動する。
【００５２】
記録ヘッド３９は、キャリッジ４１に搭載されている。記録ヘッド３９の下面には、複数のノズル（不図示）が形成されている。記録ヘッド３９に、インクカートリッジ（不図示）からインクが供給される。記録ヘッド３９は、複数のノズルからインクを微小なインク滴として選択的に吐出する。キャリッジ４１が左右方向９へ移動しているときに、直線路６５Ｂを搬送される記録用紙６または媒体トレイ７１に支持された被記録媒体へ向けて、ノズルからインク滴が吐出される。吐出されたインク滴がプラテン４２上の記録用紙６または媒体トレイ７１上の被記録媒体に付着することにより、記録用紙６または被記録媒体に画像が記録される。
【００５３】
［各ローラ対５４、５５、プラテン４２、及び下側ガイド部材３１の移動］
図２に示されるように、第１搬送ローラ対５４及び第２搬送ローラ対５５のうち下側に位置するピンチローラ６１及び第２搬送ローラ６２と、プラテン４２とは上下方向７に移動可能である。また、下側ガイド部材３１は、後側に設けられた軸７５を中心として筐体１４に対して回動可能である。
【００５４】
ピンチローラ６１及び第２搬送ローラ６２は、上側に位置する第１搬送ローラ６０及び拍車ローラ６３と当接した当接位置（図２に実線で示される位置）と、第１搬送ローラ６０及び拍車ローラ６３から離間した離間位置（図２に破線で示される位置）とに移動可能である。
【００５５】
当該移動は、公知の構成によって実現される。例えば、本実施形態では、開口１３に通ずる内部空間に設けられたレバー部９５（図１参照）と、ピンチローラ６１及び第２搬送ローラ６２を支持する支持部材（不図示）とが連結しており、レバー部９５がユーザによって移動されることに連動して、上記支持部材が上下方向７に移動する。そして、上記支持部材の上下方向７の移動により、ピンチローラ６１及び第２搬送ローラ６２は、当接位置及び離間位置の間を移動する。もちろん、ピンチローラ６１及び第２搬送ローラ６２の移動は、他の構成によって実現されてもよく、例えば、ピンチローラ６１及び第２搬送ローラ６２は、モータ（不図示）から駆動力を付与されることによって移動してもよい。
【００５６】
ピンチローラ６１及び第２搬送ローラ６２が当接位置のとき、第１搬送ローラ対５４及び第２搬送ローラ対５５は、それぞれを構成する各ローラの間に記録用紙６を挟持可能である。一方、ピンチローラ６１及び第２搬送ローラ６２が離間位置のとき、第１搬送ローラ対５４及び第２搬送ローラ対５５は、それぞれを構成する各ローラの間に媒体トレイ７１を挟持可能である。第１搬送ローラ対５４及び第２搬送ローラ対５５は、記録用紙６または媒体トレイ７１を挟持した状態において、第１搬送ローラ６０及び第２搬送ローラ６２が回転することによって、記録用紙６または媒体トレイ７１を、直線路６５Ｂ及び後述するレーベル経路６７に沿って搬送する。
【００５７】
プラテン４２は、プラテン４２によって支持された記録用紙６と記録ヘッド３９との間の上下方向７の間隔が記録用紙６への画像記録に適した距離となる上方位置（図２に実線で示される位置）と、当該上方位置よりも下方に位置しており直線路６５Ｂを搬送される媒体トレイ７１よりも下方に位置する下方位置（図２に破線で示される位置）との間で移動可能である。当該移動は、ローラ６１、６２と同様に公知の構成によって実現される。例えば、プラテン４２を支持する支持部材と上述したレバー部９５とが連結されており、レバー部９５の移動に連動した上記支持部材の上下方向７の移動により、プラテン４２が上下方向７に移動する。
【００５８】
下側ガイド部材３１は、記録用紙６が搬送経路６５を案内されるときの位置である第１回動位置（図２に実線で示される位置）と、第１回動位置よりも回動先端が下方に位置しており媒体トレイ７１が直線路６５Ｂを案内されるときの位置である第２回動位置（図２に破線で示される位置）との間で回動可能である。当該回動は、公知の構成によって実現される。例えば、下側ガイド部材３１は、上述したレバー部９５と連結された支持部材に支持されることによって第１回動位置を維持し、上記支持部材による支持が解除されることによって第１回動位置から第２回動位置に回動する。また、第２回動位置の下側ガイド部材３１は、レバー部９５の移動に連動して移動する上記支持部材に持ち上げられることによって第２回動位置から第１回動位置に回動する。なお、下側ガイド部材３１は、回動以外によって移動してもよく、例えば、上下方向７へのスライドによって移動してもよい。
【００５９】
［下側ガイド部材３１の凹部５１］
図２に示されるように、下側ガイド部材３１は、凹部５１を備えている。凹部５１は、左右方向９において、間隔を空けて複数設けられている。凹部５１の左右方向９の位置は、後述するフラップ３４の回動先端に対応する位置である。
【００６０】
［レーベル経路６７］
図２に示されるように、筐体１４の内部には、接続位置８０から後向きに延びたレーベル経路６７が設けられている。換言すると、レーベル経路６７は、接続位置８０から直線路６５Ｂと反対向きへ直線的に延びている。レーベル経路６７及び直線路６５Ｂは、ほぼ前後方向８に沿って延びた１つの経路を構成している。これにより、レーベル経路６７は、直線路６５Ｂと共に、媒体トレイ７１を屈曲させることなく通過させることが可能である。
【００６１】
レーベル経路６７は、媒体トレイ７１が通過可能な空間を隔てて互いに対向する外側ガイド部材１８の上面と第２上側ガイド部材３３の下面とによって構成されている。
【００６２】
［バイパス経路６６及びバイパストレイ７０］
図２に示されるように、筐体１４の内部には、接続位置８０の後方且つ上方から搬送経路６５へ向けて延びるバイパス経路６６が形成されている。バイパス経路６６は、図２に２点鎖線で示されるように、後述するバイパストレイ７０（本発明の第２トレイの一例）から、下側を湾曲外側とし且つ上側を湾曲内側とする向きへ湾曲しつつ延出されている。バイパス経路６６は、図２に二点鎖線で示されるように、搬送経路６５（図２に一点鎖線で示される経路）とは逆向きに湾曲した湾曲路６６Ａ（本発明の第２湾曲路の一例）を有している。
【００６３】
バイパス経路６６は、接続位置８０において搬送経路６５と接続されている。バイパス経路６６は、搬送経路６５及びレーベル経路６７のいずれよりも上方に配置されている。バイパス経路６６は、記録用紙６が通過可能な空間を隔てて互いに対向する第１上側ガイド部材３２の下面と第２上側ガイド部材３３の上面とによって構成されている。
【００６４】
バイパストレイ７０は、複合機１０の後面側であって外側ガイド部材１８の上方に設けられている。バイパストレイ７０は、給送トレイ２０とは独立して記録用紙６を支持するものである。バイパストレイ７０に支持された記録用紙６は、第１搬送ローラ対５４によって搬送される。詳述すると、記録用紙６は、バイパストレイ７０に支持される際、バイパス経路６６に沿って筐体１４の内部へ挿入される。この際、記録用紙６の先端は、後述するガイドローラ９０やフラップ３４にガイドされる。そして、記録用紙６は、その先端が第１搬送ローラ対５４に挟持された状態でバイパストレイ７０に支持される。上記状態でバイパストレイ７０に支持された記録用紙６は、第１搬送ローラ６０が回転すると、第１搬送ローラ対５４により直線路６５Ｂを搬送される。記録用紙６は、記録部２４によって画像記録が行われて、排出トレイ２１へ排出される。
【００６５】
なお、バイパストレイ７０と対向して配置されており、バイパストレイ７０に支持された記録用紙６と当接するローラが設けられていてもよい。この場合、バイパストレイ７０に支持された記録用紙６は、当該ローラが回転することによって、バイパス経路６６及び直線路６５Ｂを搬送される。よって、この場合、記録用紙６がバイパストレイ７０に支持される際に、当該記録用紙６の先端が第１搬送ローラ対５４に挟持される必要はない。
【００６６】
［ガイドローラ９０］
図２，５に示されるように、第１上側ガイド部材３２には、ガイドローラ９０が回転可能に支持されている。ガイドローラ９０は、接続位置８０の上方に配置されている。ガイドローラ９０のローラ面の一部は、搬送経路６５及びバイパス経路６６に対して突出している。つまり、ガイドローラ９０は、接続位置８０付近に突出している。図３に示されるように、ガイドローラ９０は、左右方向９に間隔を空けて複数設けられている。
【００６７】
図８に示されるように、ガイドローラ９０の下端は、レーベル経路６７及び直線路６５Ｂを搬送される媒体トレイ７１よりも上方に位置する。換言すると、ガイドローラ９０の下端は、第１搬送ローラ６０及び第２搬送ローラ６２に支持されつつ搬送される媒体トレイ７１よりも上方に位置する。つまり、ガイドローラ９０は、レーベル経路６７を通過する媒体トレイ７１と接触しない位置に配置されている。
【００６８】
［フラップ３４］
図２に示されるように、湾曲路６５Ａに、フラップ３４が設けられている。フラップ３４は、図７に示されるような湾曲した板形状である。なお、フラップ３４は、左右方向９に間隔を空けて複数設けられていてもよい。
【００６９】
図２に示されるように、フラップ３４は、外側ガイド部材１８によって回動可能に支持されている。詳述すると、フラップ３４の後側の左右両端に設けられた軸８３（図７参照）が外側ガイド部材１８に回転可能に支持されている。
【００７０】
フラップ３４は、搬送向き１７の上流側を基端側として且つ搬送向き１７の下流側を回動先端側として、図２に実線で示され且つ図５に示される第１位置と、図２に破線で示され且つ図６に示される第２位置との間で回動可能である。
【００７１】
フラップ３４は、第１位置の状態において、接続位置８０の下方に位置している。また、フラップ３４は、第１位置の状態において、レーベル経路６７よりも下方に位置している。
【００７２】
図７に示されるように、フラップ３４の下側の面であるガイド面３６の裏側に、左右方向９に間隔を空けて設けられた複数のリブ７８が設けられている。フラップ３４が第１位置のとき、リブ７８は、下側ガイド部材３１と共に、直線路６５Ｂの下側の一部を構成する。
【００７３】
また、フラップ３４は、搬送向き１７の下流側部分から突出した複数の突出部３５を備えている。突出部３５の先端が、フラップ３４の回動先端８１である。フラップ３４が第１位置の状態において、突出部３５は、下側ガイド部材３１の凹部５１に収容されている。突出部３５は、凹部５１に完全に収容されていてもよいし、当該突出部３５の上側部分が凹部５１から突出した状態で凹部５１に収容されていてもよい。
【００７４】
図２に示されるように、フラップ３４は、外部から力を付与されていない既定状態において、自重によって第１位置に保持されている。これにより、突出部３５は、下側ガイド部材３１の凹部５１を区画する底面に上方から当接し、当該底面によって支持された状態となる。その結果、フラップ３４は、第１位置に保持される。なお、下側ガイド部材３１が凹部５１を備えていなくてもよい。この場合、第１位置のフラップ３４は、上方から下側ガイド部材３１に当接し、下側ガイド部材３１によって支持された状態となる。また、フラップ３４の突出部３５は、下側ガイド部材３１以外の部材、例えば筐体１４に支持されていてもよい。
【００７５】
上述したように、第１位置のフラップ３４は、回動基端側が外側ガイド部材１８に支持され且つ回動先端側である突出部３５が下側ガイド部材３１に支持されている。これにより、第１位置のフラップ３４は、図５に示されるように、湾曲路６５Ａを接続位置８０に対して塞いでいる。また、これにより、第１位置のフラップ３４は、第１上側ガイド部材３２から離間した状態となる。その結果、レーベル経路６７及びバイパス経路６６が、接続位置８０に対して開放されている。換言すると、フラップ３４は、第１位置において、レーベル経路６７及びバイパス経路６６を塞いでいない。
【００７６】
なお、第１位置のフラップ３４は、湾曲路６５Ａを接続位置８０に対して完全に塞いでいる必要はない。例えば、第１位置のフラップ３４は、湾曲路６６Ａを搬送されている記録用紙６が湾曲路６５Ａへ進入することを防止できることを条件として、湾曲路６５Ａを接続位置８０に対して一部のみ塞いでいてもよい。
【００７７】
フラップ３４は、後述するように湾曲路６５Ａを搬送向き１７に搬送される記録用紙６に下方から押されることによって、第１位置から第２位置へ回動する。図６に示されるように、フラップ３４が第２位置の状態において、フラップ３４の前後方向８の概ね中央部が、接続位置８０に位置している。
【００７８】
図６に示されるように、フラップ３４が第１位置から第２位置へ回動することによって、フラップ３４の回動先端８１が下側ガイド部材３１から離間する。これにより、湾曲路６５Ａが接続位置８０に対して開放される。また、フラップ３４が第１位置から第２位置へ回動することによって、フラップ３４の回動先端８１が第１上側ガイド部材３２の下面と当接する。詳細には、第２位置のフラップ３４の回動先端８１は、接続位置８０より搬送向き１７の下流側において第１上側ガイド部材３２に当接する。換言すると、第２位置のフラップ３４の回動先端８１は、接続位置８０より第１搬送ローラ６０側において第１上側ガイド部材３２に当接する。これにより、フラップ３４は、レーベル経路６７及びバイパス経路６６を接続位置８０に対して塞ぐ。なお、本実施形態では、第１上側ガイド部材３２に凹部（不図示）が形成されており、フラップ３４の回動先端８１は、フラップ３４が第２位置において、当該凹部に入り込んでいる。
【００７９】
なお、第２位置のフラップ３４は、レーベル経路６７及びバイパス経路６６を接続位置８０に対して完全に塞ぐ必要はない。例えば、第２位置のフラップ３４は、湾曲路６５Ａを搬送されている記録用紙６がバイパス経路６６及びレーベル経路６７へ進入することを防止できることを条件として、レーベル経路６７及びバイパス経路６６を接続位置８０に対して一部のみ塞いでもよい。
【００８０】
また、湾曲路６５Ａ、レーベル経路６７、またはバイパス経路６６の各経路を接続位置８０に対して一部のみ塞ぐとは、フラップ３４が左右方向９に間隔を空けて複数設けられている構成において、当該間隔の部分が各経路を接続位置８０に対して塞いでいない場合も含む。
【００８１】
図６に示されるように、フラップ３４が第２位置において、フラップ３４の下側の面であるガイド面３６は、湾曲路６５Ａの湾曲外側を構成している。また、フラップ３４が第２位置において、下側ガイド部材３１に回転可能に支持されたコロ３７は、湾曲路６５Ａにおけるガイド面３６と対向する位置の湾曲内側を構成している。そして、フラップ３４が第２位置において、ガイドローラ９０は、フラップ３４に対してコロ３７とは反対側に配置されている。換言すると、第２位置のフラップ３４において湾曲路６５Ａを構成するガイド面３６は、ガイドローラ９０より内側ガイド部材１９及び下側ガイド部材３１に近い位置である。更に換言すると、第２位置のフラップ３４において湾曲路６５Ａの湾曲内側を向くガイド面３６は、ガイドローラ９０より湾曲内側に位置している。
【００８２】
［記録用紙６への画像記録動作］
複合機１０の前面上部に設けられた操作パネル７３（図１参照）がユーザに操作されることによって、複合機１０の制御部（不図示）が給送トレイ２０に支持された記録用紙６への画像記録を指示すると、給送ローラ２５が回転する。これにより、給送トレイ２０に支持された記録用紙６は、湾曲路６５Ａへ給送されて、湾曲路６５Ａを搬送向き１７に搬送される。
【００８３】
図５に示されるように、フラップ３４は、既定状態において第１位置に保持されている。記録用紙６の搬送向き１７の先端が、第１位置のフラップ３４に当接すると、フラップ３４は、記録用紙６に押されることによって、第１位置から第２位置へ回動する。これにより、フラップ３４は、図６に示されるように、下側ガイド部材３１から離間する。そのため、フラップ３４によって塞がれていた湾曲路６５Ａと直線路６５Ｂとが接続する。そして、記録用紙６は、フラップ３４のガイド面３６にガイドされて、湾曲路６５Ａから直線路６５Ｂへ搬送される。このとき、記録用紙６とガイドローラ９０との当接や、記録用紙６の搬送経路６５からバイパス経路６６またはレーベル経路６７への進入は、第２位置のフラップ３４によって防止される。なお、記録用紙６の搬送向き１７の後端がフラップ３４から離間すると、フラップ３４は、自重によって第２位置から第１位置へ回動する。換言すると、フラップ３４は、自重によって矢印９１の向きへ回動する。矢印９１の向きは、突出部３５が下方へ移動する向きである。
【００８４】
その後、記録用紙６は、記録部２４の下方を通る。このとき、搬送される記録用紙６に対して、記録部２４の記録ヘッド３９からインク滴が吐出される。これにより、記録用紙６に画像が記録される。その後、記録用紙６は開口１３から複合機１０の外部に排出されて、排出トレイ２１に支持される。
【００８５】
一方、操作パネル７３（図１参照）がユーザに操作されることによって、複合機１０の制御部がバイパストレイ７０に支持された記録用紙６への画像記録を指示すると、第１搬送ローラ６０が回転する。ここで、上述したように、バイパストレイ７０に支持された記録用紙６は、ガイドローラ９０やフラップ３４（詳細にはフラップ３４のリブ７８）にガイドされつつ筐体１４の内部へ挿入され、その先端が第１搬送ローラ対５４に挟持された状態である。よって、第１搬送ローラ６０が回転すると、バイパストレイ７０に支持された記録用紙６は、第１搬送ローラ対５４によって搬送される。このとき、記録用紙６は、ガイドローラ９０によって円滑に搬送される。また、このとき、搬送される記録用紙６の湾曲路６５Ａへの進入は、第１位置のフラップ３４によって防止される。その後、上述と同様に、記録用紙６は、記録部２４によって画像を記録され、排出トレイ２１に支持される。
【００８６】
［媒体トレイ７１に支持された被記録媒体への画像記録動作］
最初に、ユーザの操作によってレバー部９５が前方へ移動される。これにより、各ローラ対５４、５５、プラテン４２、及び下側ガイド部材３１が下方位置及び第２回動位置に移動する。次に、ユーザによって、被記録媒体が支持された媒体トレイ７１が、開口１３に通ずる内部空間に設けられたトレイガイド（不図示）に支持されつつ、複合機１０内に挿入される。このとき、媒体トレイ７１の先端は、第１搬送ローラ６０よりも後方に位置している。
【００８７】
この状態で、操作パネル７３（図１参照）がユーザに操作されることによって、複合機１０の制御部（不図示）が被記録媒体への画像記録を指示すると、第１搬送ローラ６０及び第２搬送ローラ６２が正転する。これにより、媒体トレイ７１は、後向き（搬送向き１７と逆向き）に搬送されて、直線路６５Ｂを経てレーベル経路６７へ到達する。つまり、媒体トレイ７１は、直線路６５Ｂにおける搬送向き１７の最下流側から挿入されてレーベル経路６７に到達する。なお、媒体トレイ７１は、被記録媒体の盤面が記録部２４と対向するまで、後向きに搬送される。
【００８８】
ここで、第１位置のフラップ３４はレーベル経路６７よりも下方に位置しているため、搬送される媒体トレイ７１がフラップ３４と接触することはない。また、ガイドローラ９０は、レーベル経路６７及び直線路６５Ｂを搬送される媒体トレイ７１よりも上方に位置しているため、搬送される媒体トレイ７１がガイドローラ９０と接触することはない。
【００８９】
次に、制御部の制御によって、第１搬送ローラ６０及び第２搬送ローラ６２の回転が正転から逆転に切り替えられる。これにより、媒体トレイ７１が前向きに搬送される。このとき、記録ヘッド３９からインク滴が吐出される。これにより、被記録媒体の盤面上に画像が記録される。その後、媒体トレイ７１は開口１３から複合機１０の外部に排出される。
【００９０】
なお、媒体トレイ７１は、後向きに搬送されたレーベル経路６７へ到達した状態において、複合機１０の後面に形成された開口（不図示）を介して複合機１０の後面から突出していてもよいし、突出していなくてもよい。媒体トレイ７１が複合機１０の後面から突出しない場合には、上記開口が形成されている必要はない。
【００９１】
また、本実施形態において、媒体トレイ７１は複合機１０の前側から挿入されたが、複合機１０の後側から挿入されてもよい。
【００９２】
［実施形態の効果］
本実施形態によれば、第１位置のフラップ３４により、接続位置８０において、搬送経路６５が塞がれ、且つバイパス経路６６が開放される。これにより、バイパストレイ７０からバイパス経路６６を通じて第１搬送ローラ６０へ記録用紙６が搬送され得る。接続位置８０において、記録用紙６が湾曲路６６Ａの湾曲内側に位置するガイドローラ９０に接触することにより、記録用紙６が円滑に搬送される。
【００９３】
第２位置のフラップ３４により、接続位置８０において、搬送経路６５が開放され、且つバイパス経路６６が塞がれる。これにより、給送トレイ２０から搬送経路６５を通じて第１搬送ローラ６０へ記録用紙６が搬送され得る。接続位置８０において、第２位置のフラップ３４のガイド面３６により、湾曲路６５Ａの湾曲外側に位置するガイドローラ９０より湾曲内側において記録用紙６が案内されるので、搬送経路６５を案内される記録用紙６がガイドローラ９０と接触することが防止される。
【００９４】
また、本実施形態によれば、第２位置のフラップ３４の回動先端８１は、接続位置８０より第１搬送ローラ６０側において第１上側ガイド部材３２に当接するため、接続位置８０において、バイパス経路６６が確実に塞がれる。
【００９５】
また、本実施形態によれば、搬送経路６５の直線路６５Ｂ及びレーベル経路６７によって媒体トレイ７１が直線的に進行する。
【００９６】
また、本実施形態によれば、ガイドローラ９０がレーベル経路６７及び直線路６５Ｂを搬送される媒体トレイ７１よりも上方に位置するため、ガイドローラ９０が、レーベル経路６７を通過する媒体トレイ７１と干渉しない。
【００９７】
また、本実施形態によれば、プリンタ部１１が記録部２４を備えているため、各搬送路を搬送される記録用紙６やＣＤ−ＲＯＭなどの被記録媒体に画像記録が行える。
【００９８】
[変形例]
上述の実施形態では、フラップ３４が第２位置において、ガイドローラ９０は、フラップ３４に対してコロ３７とは反対側に配置されていた。しかし、フラップ３４が第２位置において、ガイドローラ９０は、フラップ３４のガイド面３６に対してコロ３７とは反対側に配置されていればよい。例えば、図９に示されるように、フラップ３４におけるガイドローラ９０と対応する位置に開口部３８が形成されており、ガイドローラ９０は、フラップ３４が第２位置の状態において、開口部３８により区画される空間４０に進入していてもよい。
【００９９】
上記の変形例によれば、フラップ３４とガイドローラ９０との干渉を抑制しつつレイアウトの自由度が高められる。
【０１００】
上述の実施形態では、フラップ３４は、既定状態において自重によって第１位置に保持されていたが、フラップ３４は、付勢部材によって第１位置側へ付勢されることによって第１位置に保持されていてもよい。例えば、付勢部材は、図１０に示されるように、コイルばね８２である。コイルばね８２は、左右方向９において搬送経路６５の外側に配置されている。また、コイルばね８２の一端はフラップ３４に取り付けられており、コイルばね８２の他端は一端よりも上方において筐体１４に取り付けられている。もちろん、付勢部材は、フラップ３４を第１位置側へ付勢するものであれば上述したようなコイルばね８２に限らない。
【０１０１】
上記の変形例によれば、給送トレイ２０から記録用紙６が搬送されていない状態において、フラップ３４を第１位置に安定して保持することができる。
【０１０２】
上述の実施形態では、記録用紙６は、その先端が第１搬送ローラ対５４に当接した状態でバイパストレイ７０に支持された。しかし、記録用紙６は、その先端が第１搬送ローラ対５４に当接しない状態でバイパストレイ７０に支持されてもよい。この場合、プリンタ部１１は、バイパストレイ７０に支持された記録用紙６に対してバイパストレイ７０と反対側から当接するローラ（不図示）を備える。そして、当該ローラが回転することによって、バイパストレイ７０に支持された記録用紙６がバイパス経路６６を経て搬送経路６５へ給送される。なお、バイパストレイ７０から給送される記録用紙６は、ガイドローラ９０に接触することにより、円滑に搬送される。
【０１０３】
上述の実施形態では、プリンタ部１１が本発明の搬送装置に相当していた。つまり、本発明の搬送装置は、記録部２４によって画像を記録される記録用紙６を搬送するものであった。しかし、本発明の搬送装置は、プリンタ部１１に限らない。例えば、本発明の搬送装置は、スキャナ部１２であってもよい。この場合、本発明の搬送装置は、スキャナ部１２によって画像を読み取られる原稿用紙を搬送するものである。
【符号の説明】
【０１０４】
６・・・記録用紙（シート）
１４・・・筐体
１８・・・外側ガイド部材（第２ガイド部材）
２０・・・給送トレイ（第１トレイ）
３２・・・第１上側ガイド部材（第１ガイド部材）
３４・・・フラップ
３６・・・ガイド面
６０・・・第１搬送ローラ（搬送ローラ）
６５・・・搬送経路（第１搬送路）
６５Ａ・・・湾曲路（第１湾曲路）
６６・・・バイパス経路（第２搬送路）
６６Ａ・・・湾曲路（第２湾曲路）
７０・・・バイパストレイ（第２トレイ）
８０・・・接続位置
９０・・・ガイドローラ
【図１】
0006375828.tif 000002
【図２】
0006375828.tif 000003
【図３】
0006375828.tif 000004
【図４】
0006375828.tif 000005
【図５】
0006375828.tif 000006
【図６】
0006375828.tif 000007
【図７】
0006375828.tif 000008
【図８】
0006375828.tif 000009
【図９】
0006375828.tif 000010
【図１０】
0006375828.tif 000011